(57)【要約】【課題】  ゴムシートに粘着層を介して離型シートが積層された粘着テープの離型シートを分割する方法を提供することを目的とする。【解決手段】  弾性を有する支持体に粘着層と離型シートとを積層してなる粘着テープの前記離型シートをナイフによって長手方向の左右に分割して切断する方法であって、前記ナイフとして先端部が丸く形成されたナイフを使用し、前記ナイフの先端部で前記支持体を押圧することにより、前記離型シートを前記支持体から離間させ、前記ナイフに設けられた切れ刃により前記離型シートを分割することを特徴とする。【選択図】  図２
2005239299.tif 000002
【特許請求の範囲】
【請求項１】
弾性を有する支持体に粘着層と離型シートとを積層してなる粘着テープの前記離型シートをナイフによって長手方向の左右に分割して切断する方法であって、前記ナイフとして先端部が丸く形成されたナイフを使用し、前記ナイフの先端部で前記支持体を押圧することにより、前記離型シートを前記支持体から離間させ、前記ナイフに設けられた切れ刃により前記離型シートを分割することを特徴とする離型シートの分割方法。
【請求項２】
前記ナイフの先端部に、前記粘着テープを張設し、前記ナイフを前記粘着テープの長手方向に相対的に移動するようにしたことを特徴とする請求項１に記載の離型シートの分割方法。
【請求項３】
前記ナイフは、カッターナイフの先端部を、研磨材により、先端から長手方向に０．５〜１．０ｍｍの範囲を丸くなるように研磨して得られたものであることを特徴とする請求項１又は２に記載の離型シートの分割方法。
【発明の詳細な説明】
【技術分野】
【０００１】
本発明は、ゴムシート等の弾性を有する支持体に粘着層を介して離型シートが積層された粘着テープの離型シートを分割する方法に関するものである。
【背景技術】
【０００２】
ゴムシート等の弾性を有する支持体に粘着層を介して離型シートが積層された粘着テープを、被着体に貼着する際に、離型シートをテープの長手方向に分割しておいて分割された離型シートのそれぞれを別々に剥がして貼着する場合がある。
その際、離型シートには、テープの長手方向に直線状にミシン目を設けたり、離型シートとゴムシートとの間に直線状に糸を設けたり、或いは、予めテープの長手方向に分割された離型シートを貼着するようにしたりしている。
しかしながら、ミシン目を設けた離型シートをゴムシートの粘着層に貼着する方法では、離型シートと粘着層との粘着力が弱すぎると、分割された離型シートの１枚だけを剥がそうとしても残りの離型シートが一緒に剥がれてしまう可能性がある。また、離型シートと粘着層との粘着力が強すぎると、分割された離型シートの１枚だけを剥がす際に、ささくれる為に紙の繊維が広がり粘着層に食い込み、ミシン目以外の部分から破れるといったことがあり、離型シートと粘着層との粘着力のバランスを取ることが非常に難しかった。また、離型シート同士が連結されている箇所は、分割された離型シートの１枚を剥がす際に実質的に破られることになり、この破れた部分には離型処理されていない紙に、粘着層が貼り付き、分割された他方の離型シートを剥がす際に破れ等が生じるという問題があった。
また、離型シートとゴムシートとの間に直線状に糸を設ける方法でも、糸により破られた部分には離型処理されていない紙が表れるので、分割された他方の離型シートは、上記ミシン目に比べて破れる可能性が非常に高いという問題があった。
更に、上記２つの方法は、離型シートが樹脂製フィルムの場合には利用できないという問題があった。
また、予めテープの長手方向に分割された離型シートを設ける場合には、隣接する離型シート同士を、直線状に、且つ、重なり又は間隙がないようにして設けることは困難であり量産性に問題があった。また、分割された離型シートの幅がそれぞれ異なる場合には、各幅の離型シートが必要となり、経済的ではなかった。
【０００３】
このような問題に対して、ナイフにより離型シートを切断することが考えられるが、切断の際に切れ込み深さが深くなることがあり、ナイフが粘着層を超えて支持体までも傷をつけるおそれがあった。
また、支持体に傷をつけるのを避けるために、ナイフを離型シートに対して切れ込み深さを浅くすると、離型シートが切断されないことがある。
更に、離型シートに対する切れ込み深さを浅くしたり、深くしたりする等の注意しながら作業を行えば量産性が落ちてしまうという問題があった。
【発明の開示】
【発明が解決しようとする課題】
【０００４】
そこで、本発明は、上記課題を解決するために、ゴムシートに粘着層を介して離型シートが積層された粘着テープの離型シートを分割する方法を提供することを目的とする。
【課題を解決するための手段】
【０００５】
上記課題を解決するために、本発明者等は鋭意検討の結果、下記の通り解決手段を見出した。
即ち、本発明の粘着テープに設けられた離型シートの分割方法は、請求項１に記載の通り、弾性を有する支持体に粘着層と離型シートとを積層してなる粘着テープの前記離型シートをナイフによって長手方向の左右に分割して切断する方法であって、前記ナイフとして先端部が丸く形成されたナイフを使用し、前記ナイフの先端部で前記支持体を押圧することにより、前記離型シートを前記支持体から離間させ、前記ナイフに設けられた切れ刃により前記離型シートを分割することを特徴とする。
また、請求項２に記載の本発明は、請求項１に記載の離型シートの分割方法において、前記ナイフの先端部に、前記粘着テープを張設し、前記ナイフを前記粘着テープの長手方向に相対的に移動するようにしたことを特徴とする。
また、請求項３に記載の本発明は、請求項１又は２に記載の離型シートの分割方法において、前記ナイフは、カッターナイフの先端部を、研磨材により、先端から長手方向に０．５〜１．０ｍｍの範囲を丸くなるように研磨して得られたものであることを特徴とする。
【発明の効果】
【０００６】
本発明の離型シートの分割方法によれば、粘着テープの離型シートを、ナイフにより分割することができるので、ミシン目や糸により離型シートを分割する場合に比べて、作業が簡易である。また、離型シートとして樹脂製フィルムを使用する場合であっても適用することができる。更に、分割された離型シートの切断面には、粘着層の粘着剤が貼着しにくく、粘着テープの分割された離型シートの１枚を剥がす際に、離型シートが途中で破れたりすること等がないので、貼着施工性が優れたものとなる。また、ナイフとして先端部が丸く形成されたナイフを使用することで、ナイフの先端部で支持体を押圧して支持体から離型シートを離間させた状態にしておいて離型シートを分割することができ、支持体を傷つける可能性を極めて低くすることができる。
更に、ナイフの先端部に、前記粘着テープを張設し、前記ナイフを前記粘着テープの長手方向に相対的に移動することにより切断すれば、巻回された粘着テープの離型シートを高速に分割することができる。
また、使用するナイフも、例えば、市販のナイフに平板状のヤスリ等の研磨材を用いて、簡単な加工を加えるだけで得られるので、低コストで離型シートを分割することができる。
【発明を実施するための最良の形態】
【０００７】
上記の通り、本発明は、ナイフの先端部で前記支持体を押圧することにより、離型シートを支持体から離間させて、離型シートを分割するようにしたものである。
本発明において分割の対象となる粘着テープは、支持体に粘着層を介して離型シートが貼着されているものであれば、建築用や事務用等のいかなる粘着テープであってもよい。
前記支持体としては、弾性を有するものであればよく、例えば、ゴム、樹脂製フィルム、布等を使用することができる。また、粘着層を構成する粘着剤としては、例えば、感圧性接着剤等がある。また、離型シートとしては、紙、布、樹脂製フィルム等の表面を離型剤により処理されたものが使用できる。これらのいずれも、材料について特に制限されるものではない。
【０００８】
本発明に使用されるナイフについても、特に制限はなく、一般的に販売されているカッターナイフ等の片刃、或いは、両刃のナイフであってもよい。
このナイフの刃先については、図１を参照して説明する。
図１は、本発明に使用されるナイフの製造工程を示すものであり、同図（ａ）は、市販されているカッターナイフ１を示し、同図（ｂ）は、本発明に使用されるナイフ１’を示すものである。
同図（ａ）に示されるように、市販のカッターナイフ１は、長手方向の片側に切れ刃１ａを備えており、先端部１ｂは鋭利に形成されている。
前記カッターナイフ１の先端部１ｂ、平板状のヤスリで丸くなるように削ることにより、同図（ｂ）に示すように、先端部１ｃの丸いナイフ１’を得る。
【０００９】
次に、ナイフ１’により、離型シートを分割する方法について図２を参照して説明する。
図２（ａ）は、離型シートを分割する際の説明図である。図中６で示される粘着テープは、支持体７の上に粘着剤層８を介して離型シート９を積層して構成されたものである。この粘着テープ６の長手方向の端面側６ａ側から、ナイフ１’を切れ刃１ａから離型シート９に差し込むようにし、同図（ｂ）の平面図に示されるように、Ｘ−Ｘ線方向に移動させて、離型シート９を、切れ刃１ｂにより、左右に切断する。切断の際、ナイフ１’の先端部１ｃは、支持体７及び粘着剤層８を押圧して、離型シート９から離れることになり、切れ刃１ａが支持体７を切断することがない。
【００１０】
尚、上記図示されたナイフ１’の先端部１ｃは、分かりやすいように丸く表しているが、ナイフ１’の先端部１ｃについては、支持体７を傷つけない程度に、即ち、鋭利な面とならない程度に丸みを帯びたものであればよい。また、先端部１ｃの加工に使用される研磨材として、平板状のヤスリを使用したが、丸く形成することができる研磨材であれば、特に、ヤスリに限定されるものではない。
【実施例】
【００１１】
以下、本発明の一実施例について図面を参照して説明する。
本実施例では、図３に示すように、厚さ６００μｍのゴム弾性防水シート（ＥＰＤＭ及びブチルゴムをブレンドしたもの）により構成される支持体７に、厚さ３００μｍの非加硫ゴムからなる粘着剤層８を介して、厚さ１２０μｍの離型シート９を積層した構造の粘着テープ６を、４０ｍ分ロール状に巻き取った状態で、離型シート９を長手方向の左右に分割する例を説明する。
ナイフは、市販のカッターナイフ（ＮＴ社製ＢＬ−３００）を使用し、この先端部をヤスリにより、先端から長手方向に０．７ｍｍ程度を丸く削ることとした。
得られたナイフ１’を、図４に示すように、断面略円弧形状のガイド１０に収容するとともに、ナイフ１’の先端部１ｃがガイド１０の上面から１ｍｍ程度突出するように配置固定した。
そして、ロール状の粘着テープ６は、図５に示すように、ガイド１０に配置されたナイフ１’の上面に張設されるようにした。
上記構成により、図中矢印で示される方向に、ロール状の粘着テープ６を引っ張り、離型シート９を長手方向の左右に分割するように裁断した。
本実施例では、４０ｍ分の離型シート９を分割する作業を３０秒で行ったが、離型シート９は、全長に亘り確実に分割され、しかも、支持体７が傷つくことはなかった。尚、本実施例では、粘着テープ６の左右両側をガイド１０により支持するようにしたため、ガイド１０を設けない場合に比べて、支持体７へのナイフ１’の荷重を軽減させることができ、支持体７を傷つけないことがわかった。
【図面の簡単な説明】
【００１２】
【図１】（ａ）カッターナイフの説明図（ｂ）本発明に使用されるナイフの説明図
【図２】（ａ）本発明による離型シートの分割状態を示す側断面図（ｂ）同平面図
【図３】本発明の実施例において使用される粘着テープの説明図
【図４】本発明の実施例の説明図
【符号の説明】
【００１３】
１    カッターナイフ
１ａ  切れ刃
１ｂ  先端部
１ｃ  丸い先端部
６    粘着テープ
７    支持体
８    粘着剤層
９    離型シート
１０    ガイド
【図１】
2005239299.tif 000003
【図２】
2005239299.tif 000004
【図３】
2005239299.tif 000005
【図４】
2005239299.tif 000006